(57)【要約】【課題】現在提案されている風力回転コマより回転がスムーズで、より長く回り続けられる風力回転コマの提供。【解決手段】水平断面形状がＬ字状や弓形状の羽根を使用する方法により解決した。例えば、図１の円板状の回転体２、円柱状の心棒４、下端部が丸く尖った円柱状の回転軸５から成るコマの回転体２の上面に、水平断面形状がＬ字形状の羽根３を４枚装着し風力回転コマ１を形成。このコマ１に息を吹き掛けて回すと、水平断面形状が直線状の羽根を装着したコマよりも回転はスムーズでしっかりと安定していて、且つ長く回り続ける様になった。【選択図】図１
2012040333.tif 000002
【特許請求の範囲】
【請求項１】
羽根３を設け息吹き掛け等の風力で回転させる風力回転コマにおいて、羽根３の水平断面形状がＬ字状に折れ曲った形状や弓形状に湾曲した形状、或いはそれらの組合せ形状である事を特徴とした風力回転コマ用の羽根。
【発明の詳細な説明】
【技術分野】
【０００１】  本発明は、コマに羽根を設け、それに息等の風を吹き掛け回転させるコマに関するもので、特にそのコマに設ける羽根の形状に関するものである。
【背景技術】
【０００２】  日本には子供から大人まで親しまれているコマ（独楽）が古くからある。そのコマを回す方法としては、手や紐類などが一般的であるが、最近では特許文献１や特許文献２の様な、息吹きかけ等の風の力を利用し回転させるコマも提案されている。
本発明は、これらの風等で回すコマを更にしっかりと長く回す事が出来る様に羽根の形状を工夫改善したものである。
【先行技術文献】
【特許文献】
【０００３】
【特許文献１】実用新案登録第３１０２０８５号
【特許文献２】特願２００９−１２２５２７
【発明の概要】
【発明が解決しようとする課題】
【０００４】  上記特許文献のコマは息吹き掛けにより回転するが、こうしたコマを回し遊ぶ場合、現状よりももっとスムーズに回転させ、回転したらもっと長く回し続けたいと思うものである。そこで、本発明は、よりスムーズに、より長く回り続ける事の出来る風力回転コマの提供を目的とした。
【課題を解決するための手段】
【０００５】  本発明は、羽根３を設け息吹き掛け等の風力で回転させるコマにおいて、羽根３の水平断面形状がＬ字状に折れ曲った形状や弓形状に湾曲した形状、或いはそれらの組合せ形状である羽根を使用する事により解決した。
【発明の効果】
【０００６】  上記課題解決の為に、羽根にＬ字状や弓形状等の工夫を行った結果、コマはよりスムーズにしっかりと安定して回り、且つより長く回り続ける様になった。また、息吹き掛けは羽根の上方からが望ましいが、斜め上方向からであっても回転が鈍ったりバランスを崩したりし難くなった。この結果、コマを回転させてその回転時間の長さを競う遊び等を楽しむだけでなく、斜め方向から息を吹きかければ近くで回っている他のコマにぶつける事も出来、けんかコマ遊び等も楽しむ事が出来る様になった。
【図面の簡単な説明】
【０００７】
【図１】長方形状物をＬ字状に折り曲げた羽根を使用の本発明のコマの斜視図。
【図２】長方形状物をＬ字状に折り曲げた本発明の羽根。
【図３】本発明のＬ字状の４枚の羽根で構成の羽根ブロックの斜視図。
【図４】水平断面形状が直線状の羽根を使用したコマの斜視図。
【図５】水平断面形状が直線状の羽根。
【図６】長方形状物を弓形状に湾曲させた本発明の羽根。
【図７】三角形と円形の組合せ形状物をＬ字状に折り曲げた本発明の羽根。
【図８】両端をカットの半円形状物を弓形状に湾曲させた本発明の羽根。
【発明を実施するための形態】
【０００８】  上記課題を解決する為に種々検討した結果、コマを構成している回転体２や心棒４、回転軸５等のバランス等も大切であるが、やはり息等の風を受け止めてそれをコマの回転に導く羽根３が最も重要であると考えられたので、羽根３につき種々検討の結果、その形状を工夫する事、即ち、羽根３の水平断面形状をＬ字状に折り曲げたり、弓形状に湾曲させたりする事により解決出来た。
以下、実施例にもとづき本発明について更に説明する。
【実施例１】
【０００９】  本実施例は水平断面形状がＬ字状をした羽根３を使用した例で、図１から図３にその実施例図を示す。図１はその羽根３を４枚設けたコマ１の斜視図を、図２はその羽根３の図で、図２の（イ）には斜視図を、（ロ）には正面図を、（ハ）には平面図を示す。なお、羽根３の水平断面図は図２の（ハ）と同じであるので省略。図３にはその羽根３を４枚使用し装着部６を介して一体的に形成した羽根ブロック９の斜視図を示す。【００１０】  図１に示す本実施例のコマ１は、回転体２の上面部に心棒４と羽根３を設け、下面部に回転軸５を設けた例である。羽根３、装着部６には紙を、回転体２、心棒４、回転軸５には木を使用した。回転体２としては、上面と下面部がフラットな円形状の板状物を使用し、その上面の中心部に円柱状の心棒４を、下面部の中心部に下端先を丸く尖らせた円柱状の回転軸５を設けた。更に、これに図３に示す羽根ブロック９を、その心棒用穴８に心棒４を通して装着し図１に示すコマ１を形成した。【００１１】  羽根３は、図１及び図３に示す様に、同じＬ字形状のものを４枚使用した。Ｌ字形状へは、図２に示す様に、端部寄りの所を垂直状の折曲部７により折り曲げて形成。羽根ブロック９の回転体２への装着は、装着部６の下面部と回転体２の上面部とを接着剤で付けた。【００１２】  この様にして形成のコマ１は、例えば特許文献２に記載のスタンドにセットし息を吹き掛けると、本願の図５に記載の水平断面形状が直線状の羽根３（図５の（イ）は正面図、（ロ）は平面図及び水平断面図）を使用し形成の図４のコマ１に比べて、スムーズにしっかりと回り、回る時間も長かった。息を吹き掛け続けるとコマはしっかりと回り続け、息吹き掛けを中断し回転が弱って来ても、再度息を吹き掛けるとまた元気に回り続けた。【００１３】  本発明の羽根３を設けたコマ１はしっかりと回るので、特許文献２に記載のスタンドからテーブル等の上への移動もよりスムーズに出来た。また、息吹き掛けは羽根３の上方からが望ましく安定した回転が得られるが、本実施例のコマ１では、斜め上方向からでもバランスを崩し回転が鈍ったりし難いので、横方向へ移動させる事も出来、近くのコマにぶつけて遊ぶけんかコマ遊び等も楽しむ事が出来る。
【実施例２】
【００１４】  本実施例は、実施例１の羽根３の形状を種々変えた場合の実施例で、羽根３の枚数や回転体２、心棒４、回転軸５等は実施例１と同様のものを使用した。【００１５】  図６は、羽根３をＬ字状ではなく弓形状に湾曲させたもので、図６の（イ）はその斜視図を、（ロ）は正面図を、（ハ）は平面図を示す。図２のＬ字状のものの代わりにこの弓形状のもので、実施例１と同様に、まず羽根ブロック９を形成し、それを回転体２に装着しコマ１を形成した。このコマ１も、実施例１のコマ１と同様にスムーズでしっかりと長く回った。【００１６】  実施例１のＬ字状や上記の図６の弓形状の羽根は、矩形状（長方形状）のものを折り曲げたり湾曲したりして形成したものであるが、この矩形状の代わりに、三角形その他の多角形や円形状、或いはそれらの組合せ形状のものを使用しても、本発明の形状の羽根を形成する事が出来る。それらの例を図７や図８に示す。【００１７】  図７は、三角形状と半円形状のものとを折曲部７を介して組合わせたもので、その折曲部７でＬ字状に折り曲げて形成した羽根３の斜視図である。折曲部７は垂直状ではなく斜めに傾斜させて形成した。図８は、半円形状物の両端をカットした形状物を使用し、それを弓形に湾曲させ形成した弓形状の羽根３の斜視図である。両羽根共に、それを使用したコマは、実施例１や図６の羽根を使用したコマ等と同様にスムーズでしっかりと長く回った。
【符号の説明】
【００１８】１、コマ
２、回転体
３、羽根
４、心棒
５、回転軸
６、装着部
７、折曲部
８、心棒用穴
９、羽根ブロック
【図１】
2012040333.tif 000003
【図２】
2012040333.tif 000004
【図３】
2012040333.tif 000005
【図４】
2012040333.tif 000006
【図５】
2012040333.tif 000007
【図６】
2012040333.tif 000008
【図７】
2012040333.tif 000009
【図８】
2012040333.tif 000010